(57)【要約】【課題】本発明は、ベランダの排水管用飛散防止装置に関し、冬季の凍結防止が必要な地域における従来のベランダの排水管では、凍結防止用に切断した排水管によって夏季に水が飛散するおそれのあることが課題であって、それを解決することである。【解決手段】ベランダの排水管に被嵌させる排水用の飛散防止装置であって、排水管に被嵌されるとともに前記排水管１０に対して移動自在な筒体２と、前記排水管の任意の位置に着脱自在に固定される留め具３と、前記筒体の上端部に一端側の端部が固着され他端側の端部が前記留め具に固着され前記筒体と前記留め具とを一体にする所要長さの連結部材４と、前記排水管の任意の位置に着脱自在に固定されるものであって、前記筒体２および前記留め具３の前記排水管１０に対する移動を阻止するストッパー５と、から構成されるベランダの排水管用飛散防止装置１とする。【選択図】図１
2015206162.tif 000002
【特許請求の範囲】
【請求項１】
ベランダの排水管に被嵌させる排水用の飛散防止装置であって、
排水管に被嵌されるとともに前記排水管に対して移動自在な筒体と、
前記排水管の任意の位置に着脱自在に固定される留め具と、
前記筒体の上端部に一端側の端部が固着され他端側の端部が前記留め具に固着され前記筒体と前記留め具とを一体にする所要長さの連結部材と、
前記排水管の任意の位置に着脱自在に固定されるものであって、前記筒体および前記留め具の前記排水管に対する移動を阻止するストッパーと、から構成されること、
を特徴とするベランダの排水管用飛散防止装置。
【請求項２】
筒体の長さは、ベランダの床面と排水管の下端との間の離隔寸法に対応した長さであること、
を特徴とする請求項１に記載のベランダの排水管用飛散防止装置。
【請求項３】
留め具は、二つ割りの分割体であって、そのうちの一つに連結部材の他端側の端部が固着されていること、
を特徴とする請求項１または２に記載のベランダの排水管用飛散防止装置。
【請求項４】
分割体の留め具は、ボルトとナットとで締結され、前記ナットは手で弛緩できるように蝶ナットであること、
を特徴とする請求項３に記載のベランダの排水管用飛散防止装置。
【発明の詳細な説明】
【技術分野】
【０００１】
本発明は、北海道などの寒冷地におけるベランダの排水管用飛散防止装置に関するものである。
【背景技術】
【０００２】
従来、北海道などの寒冷地におけるベランダの排水管は、ドレン金物の取り合う部分を、凍結防止のために下端から約３００ｍｍ程度上がったところで切断している。これは、冬季において排水管からの排水が凍り、ベランダのドレン金物と排水管とが氷で繋がってしまい、排水機能が損なわれるおそれがあるので、それを防止するためである。
【０００３】
一方で、夏季には、ベランダの床などを上階で水洗いすると、排水管と排水枡の間のところに強風が吹き込むことで水が飛散して、下階に干した洗濯物等を汚してしまい、下階住人から苦情が出ることがある。
【０００４】
上記ベランダの排水管による水の飛散防止に対しては、単にルーフドレン用の飛散防止対策として、特許文献１に記載したカバーが知られている。
【先行技術文献】
【特許文献】
【０００５】
【特許文献１】特開２００１−２６２７９４号公報
【発明の概要】
【発明が解決しようとする課題】
【０００６】
しかし、従来の上記ベランダの飛散防止用のカバーは、排水管の下部の位置がドレン金物に近接していて、その排水管の下部にストレーナが装備されている場合であり、北海道等の寒冷地におけるベランダのように、氷が繋がらないように排水管が切断されている場合の寒冷地に適用できるものではない。
【０００７】
そこで、寒冷地における、夏季の水の飛散防止対策として、図６に示すように、例えば、ペットボトル１１を使用する対策がある。このペットボトル１１の底をカットして、その底から一部切断した排水管１０の下部に差込み、ガムテープ（登録商標）１２で排水管１０とペットボトル１１とを接続している。
【０００８】
しかし、この従来方法では、夏季は良いが冬季において、前記ペットボトル１１を排水管１０から取り外すのを忘れると、凍結した氷が排水管１０から排水枡９へと繋がることがある。また、前記ペットボトル１１を排水管１０にガムテープ（登録商標）で取り付けた様子は、ベランダからの見栄えも悪いものである。
本発明に係るベランダの排水管用飛散防止装置は、このような課題を解決するために提案されたものである。
【課題を解決するための手段】
【０００９】
本発明に係るベランダの排水管用飛散防止装置の上記課題を解決して目的を達成するための要旨は、ベランダの排水管に被嵌させる排水用の飛散防止装置であって、排水管に被嵌されるとともに前記排水管に対して移動自在な筒体と、前記排水管の任意の位置に着脱自在に固定される留め具と、前記筒体の上端部に一端側の端部が固着され他端側の端部が前記留め具に固着され前記筒体と前記留め具とを一体にする所要長さの連結部材と、前記排水管の任意の位置に着脱自在に固定されるものであって、前記筒体および前記留め具の前記排水管に対する移動を阻止するストッパーと、から構成されることである。
【００１０】
前記筒体の長さは、ベランダの床面と排水管の下端との間の離隔寸法に対応した長さであることである。
【００１１】
前記留め具は、二つ割りの分割体であって、そのうちの一つに連結部材の他端側の端部が固着されていることである。
【００１２】
前記分割体の留め具は、ボルトとナットとで締結され、前記ナットは手で弛緩できるように蝶ナットであることである。
【発明の効果】
【００１３】
本発明のベランダの排水管用飛散防止装置によれば、夏季においては排水管からの飛散を防止し、且つ、冬季においては、筒体を上位置に上げておくので、排水管からの氷がドレン金物と繋がることが無い。
留め具における位置固定用のボルト・ナットにおいて、蝶ナットで留め具を手で弛緩できるので、筒体の上下移動が容易になり、手間が掛からないと言う優れた効果を奏するものである
【図面の簡単な説明】
【００１４】
【図１】本発明に係るベランダの排水管用飛散防止装置１の、夏季の使用状態を示す正面図（Ａ）、同使用状態を示す側面図（Ｂ）である。
【図２】同本発明のベランダの排水管用飛散防止装置１の平面図（Ａ）、一部拡大した側面図（Ｂ）である。
【図３】同排水管用飛散防止装置１を、その下方から見た斜視図である。
【図４】同排水管用飛散防止装置１の、夏季のベランダにおける使用状態の斜視図である。
【図５】同排水管用飛散防止装置１の、冬季のベランダにおける使用状態の斜視図である。
【図６】従来例に係る排水管の飛散防止装置として、ペットボトル１１を使用した場合の構造を示す縦断面図である。
【発明を実施するための形態】
【００１５】
本発明に係るベランダの排水管用飛散防止装置１は、図１に示すように、排水管１０の下部１０ａにおいて夏季と冬季に分けて設置位置を変えられる、上下移動自在な筒体２を設けることで、水の飛散防止対策とするものである。
【実施例１】
【００１６】
本発明に係るベランダの排水管用飛散防止装置1は、図１（Ａ），（Ｂ）に示すように、ベランダ８の排水管１０に被嵌させる排水用の飛散防止装置であって、前記排水管１０の下部１０ａに被嵌されるとともに、前記排水管１０に対して上下方向に移動自在な筒体２がある。
【００１７】
前記排水管１０の任意の位置に着脱自在に固定される留め具３がある。また、前記筒体２の上端部に一端側の端部が固着され他端側の端部が前記留め具３に固着され、前記筒体２と前記留め具３とを連結して一体にする所要長さの連結部材４，４がある。
【００１８】
前記排水管１０の任意の位置に着脱自在に固定されるものであって、前記筒体２および前記留め具３の、前記排水管１０に対する移動を阻止するストッパー５があり、これらから当該排水管用飛散防止装置１が構成される。
【００１９】
前記排水管用飛散防止装置１の各構成部品について、詳細に説明する。前記筒体は、図１に示すように、排水管１０の外側に、若干の隙間を有して、被せられるステンレス製であって前記排水管１０と同形状の筒体である。ここでステンレス製としたのは、錆び防止のためである。
【００２０】
更に、前記筒体２の長さは、ベランダ８の床面と排水管１０の下端との間の離隔寸法に対応した長さである。例えば、基の排水管１０の下端から上に３００ｍｍ程度切断しているので、少なくとも、その切断寸法分をまかなうだけの長さにした筒体２であれば良い。
【００２１】
前記留め具３は、ステンレス製で二つ割りのリング状の分割体であって、図２（Ａ）に示すように、そのうちの一つの分割体に前記連結部材４，４の他端側の端部が、溶接などの固着手段で固着されている。
【００２２】
この留め具３の内径の大きさは、排水管１０の外径に対応して、若干大きい内径にしておくものである。留め具３に径方向に突出したフランジ部があって、そのフランジ部にボルト６ａ・ナット６ｂ用の貫通孔が設けられている。
【００２３】
また、対向するフランジ同士の間に若干の隙間があって、前記ボルト６ａ・ナット６ｂで締め付けられて、排水管１０に留め具３が固定されるようになっている。尚、この実施例に限定されることなく、バネ性のある一体金物など、他の公知の留め具であっても良い。
【００２４】
前記二分割体の留め具３は、ボルト６ａとナット６ｂとで締結され、前記ナット６ｂは手で締め付けられるように蝶ナット６ｂである。手で蝶ナット６ｂを弛緩できて、留め具３の着脱や、少し緩めて上下移動させる際に、取り扱いやすくなるものである。
【００２５】
前記連結部材４、４は、図１及び図３に示すように、前記筒体２と留め具３とを連結して、一体にするものである。実施例では筒体２および留め具３の周方向に対向配置にした、２本の連結部材４によって連結しているが、更に、３本以上でも良い。
【００２６】
この連結部材４は、ステンレス製であって、所望幅で、その長さは、例えば、３００ｍｍ程度で、排水管１０を切断した長さ＋α程度である。特にその長さを特定するものではない。
【００２７】
前記ストッパー５は、図１および図３に示すように、前記留め具３とほぼ同じ構成であって、前記排水管１０に取り付け固定する、ステンレス製で二つ割りのリング状の分割体である。
【００２８】
このストッパー５は、図１に示すように、排水管１０に取り付けた筒体２と留め具３の間で、該排水管１０に取り付け固定した状態で、前記連結部材４の内側に配設されるものである。
【００２９】
図３に示すように、前記ストッパー５の分割体を、ボルト７ａ、ナット７ｂで固定するために、分割体の両端部に径方向に突出したフランジ部５ａ，５ｂがあり、そのフランジ部５ａ，５ｂにボルト挿通用の貫通孔が設けられている。なお、前記ット７ｂを、前記留め具３の場合と同様に、蝶ナットにして、手で容易に弛緩できるようにしても良い。
【００３０】
そして、このフランジ部５ａ，５ｂがあることで、排水管１０を上下移動する前記留め具３の一部が前記フランジ部５ａ，５ｂに衝突して、当該留め具３の下方向への移動が阻止され、同様に、筒体２の上方向への移動が阻止される。
【００３１】
前記ストッパー５は、例えば、図１（Ａ）に示すように、夏季の場合、排水管用飛散防止装置１の留め具３の直ぐ下位置に近接させて、排水管１０に取り付けて固定する。そして、夏季から冬季を通してその取り付け位置のままにして、当該ストッパー５は排水管１０に固定されるものである。
【００３２】
前記排水管用飛散防止装置１の、筒体２、留め具３、連結部材４およびストッパー５は、ステンレス製であり、防錆対策としている。また、そのようにすることで、外観上の見栄えも良い。これに限らず、排水管用飛散防止装置１全体を、他の金属製としたり、硬質の合成樹脂製としたりすることもできる。
【００３３】
以上の様に構成されるベランダの排水管用飛散防止装置１を使用するには、図１（ａ），（ｂ）に示すように、留め具３の一つの分割体と、該分割体に固着されている連結部材４と、筒体２とを、前記筒体２の上部開口を排水管１０の下部１０ａに下方から差し込んで、前記留め具３の一つの分割体を排水管１０外周面に当接させる（留め具３を最初からリング状に形成すると、筒体２が排水枡９に衝突して、取り付けできないことがある）。
【００３４】
更に、ストッパー５を排水管１０と前記連結部材４との間に差し込んで、ボルト７ａ，ナット７ｂでリング状にして仮止めする。そして、図１（Ａ）に示す夏季状態の位置で、前記ボルト７ａ，ナット７ｂを締め込んで排水管１０にストッパー５を位置固定する。
【００３５】
前記留め具３の一つの分割体に他の分割体をボルト６ａ、蝶ナット６ｂで締め込んでリング状に形成して、排水管１０に位置固定する。このようにして、排水管１０に排水管用飛散防止装置１を取り付ける。
【００３６】
尚、上記取り付け手順に限定せず、ストッパー５を、図１（Ａ）に示す位置を設定して、そこに予めボルト７ａ，ナット７ｂで取り付けて固定しておいて、その後に、留め具３の一つの分割体と、連結部材４及び筒体２を取り付けるようにしても良い。
【００３７】
その後、使用に当たっては、図４に示すように、夏季において、留め具３の位置をストッパー５に当たるまで下げて、その位置で蝶ナット６ｂを手で回してボルト６ａに締め込んで、当該留め具３を排水管１０に止める。
【００３８】
図１（Ａ），図４に示すように、筒体２は下がった位置で配設されて、排水管１０の下部１０ａから排水枡９へと水を中継して案内する。前記下部１０ａから下に垂設される筒体２によって、前記筒体２の下端の位置と、排水枡９との距離が近いので、風が吹いても、階下にまで水が飛散することが無い。
【００３９】
また、冬季には、図５に示すように、排水管用飛散防止装置１の前記筒体２を上方へと上げる。これにより、ベランダ８の排水枡９と排水管１０の下部１０ａとの間に、約３００ｍｍ程の距離が空いており、配管１０からの氷が前記排水枡９へと繋がることも無い。こうして、冬季においても、排水管１０からの排水機能が確保される。
【産業上の利用可能性】
【００４０】
本発明に係るベランダの排水管用飛散防止装置１は、寒冷地における集合住宅のベランダに広く適用できるものである。
【符号の説明】
【００４１】
１          排水管用飛散防止装置、
２          筒体、
３          留め具、
４          連結部材、                    
５          ストッパー、  
５ａ，５ｂ  フランジ部、                
６ａ        ボルト、                        ６ｂ      蝶ナット、
７ａ        ボルト、                        ７ｂ      ナット、
８          ベランダ、
９          排水枡、
１０        排水管、                        １０ａ      下部、      
１１        ペットボトル、
１２        ガムテープ。
【図１】
2015206162.tif 000003
【図２】
2015206162.tif 000004
【図３】
2015206162.tif 000005
【図４】
2015206162.tif 000006
【図５】
2015206162.tif 000007
【図６】
2015206162.tif 000008